(57)【要約】【課題】動画ファイルや音楽ファイルや静止画ファイルといった様々な形式のファイルが記録されている記録媒体のファイルを再生する際に、動画ファイルのみや音楽ファイルのみや静止画ファイルのみといったグループ毎で連続再生を行うことができるようにした情報記録再生装置を提供する。【解決手段】設定画面でグループ再生が選択されると、タイプ別／拡張子別選択画面が表示される。ここで、タイプ別が選択された場合、動画／静止画／音楽選択画面が表示される。そして、例えば動画が選択された場合、記録媒体から動画ファイルのみがピックアップされ、動画ファイル名が連続的に並べられて動画再生リストが作成され、フラッシュメモリに格納される。次に、動画再生リストに従って動画ファイルが記録媒体から読み出され、動画ファイルが連続再生される。【選択図】図２
2008108362.tif 000002
【特許請求の範囲】
【請求項１】
記録媒体に記録された各種ファイルを再生することが可能な情報記録再生装置において、
設定画面でファイル形式ごとのグループ再生が選択された場合に、タイプ別または拡張子別でファイルを選択するためのタイプ別／拡張子別選択画面をディスプレイ装置に表示させるタイプ別／拡張子別選択画面表示処理手段と、
タイプ別／拡張子別選択画面にてタイプ別が選択された場合に、動画または静止画または音楽を選択するための動画／静止画／音楽選択画面をディスプレイ装置に表示させる動画／静止画／音楽選択画面表示処理手段と、
動画／静止画／音楽選択画面にて動画が選択された場合に、記録媒体から動画ファイルのみをピックアップし、このピックアップした動画ファイルが連続再生できるように、動画ファイルのファイル名を連続的に並べて動画再生リストを作成してメモリに格納する動画再生リスト作成処理手段と、
前記動画再生リストをディスプレイ装置に表示させる動画再生リスト表示処理手段と、
動画／静止画／音楽選択画面にて静止画が選択された場合に、記録媒体から静止画ファイルのみをピックアップし、このピックアップした静止画ファイルが連続再生できるように、静止画ファイルのファイル名を連続的に並べて静止画再生リストを作成してメモリに格納する静止画再生リスト作成処理手段と、
前記静止画再生リストをディスプレイ装置に表示させる静止画再生リスト表示処理手段と、
動画／静止画／音楽選択画面にて音楽が選択された場合に、記録媒体から音楽ファイルのみをピックアップし、このピックアップした音楽ファイルが連続再生できるように、音楽ファイルのファイル名を連続的に並べて音楽再生リストを作成してメモリに格納する音楽再生リスト作成処理手段と、
前記音楽再生リストをディスプレイ装置に表示させる音楽再生リスト表示処理手段と、
動画／静止画／音楽選択画面にて動画が選択された場合には、前記動画再生リストに従って動画ファイルを記録媒体から読み出し、動画ファイルを連続再生させ、静止画が選択された場合には、前記静止画再生リストに従って静止画ファイルを記録媒体から読み出し、静止画ファイルを連続再生させ、音楽が選択された場合には、前記音楽再生リストに従って音楽ファイルを記録媒体から読み出し、音楽ファイルを連続再生させる連続再生処理手段と、
前記タイプ別／拡張子別選択画面にて拡張子別が選択された場合に、記録媒体に記録されているファイルの拡張子の項目を選択するための拡張子選択画面をディスプレイ装置に表示させる拡張子表示処理手段と、
前記タイプ別／拡張子別選択画面にて拡張子別が選択された場合に、選択された拡張子のファイルのみを記録媒体からピックアップし、このピックアップした拡張子のファイルが連続再生できるように、拡張子のファイルのファイル名を連続的に並べて拡張子再生リストを作成してメモリに格納する拡張子再生リスト作成処理手段と、
前記拡張子再生リストをディスプレイ装置に表示させる拡張子再生リスト表示処理手段と、
前記拡張子選択画面にて所望する拡張子の項目が選択された場合には、前記拡張子再生リストに従って前記所望する拡張子のファイルを記録媒体から読み出し、前記所望する拡張子のファイルを連続再生させる拡張子連続再生処理手段と、を備えたことを特徴とする情報記録再生装置。
【請求項２】
記録媒体に記録された各種ファイルを再生することが可能な情報記録再生装置において、
設定画面でファイル形式ごとのグループ再生が選択された場合に、タイプ別または拡張子別でファイルを選択するためのタイプ別／拡張子別選択画面をディスプレイ装置に表示させるタイプ別／拡張子別選択画面表示処理手段と、
タイプ別／拡張子別選択画面にてタイプ別が選択された場合に、各種タイプのファイルを選択するためのタイプ別ファイル選択画面をディスプレイ装置に表示させるタイプ別ファイル選択画面表示処理手段と、
前記タイプ別ファイル選択画面にて選択されたタイプのファイルのみを記録媒体からピックアップし、このピックアップしたタイプのファイルが連続再生できるように、そのタイプのファイルのファイル名を連続的に並べてタイプ別ファイル再生リストを作成してメモリに格納するタイプ別ファイル再生リスト作成処理手段と、
タイプ別／拡張子別選択画面にてタイプ別の所望のファイルが選択された場合には、前記タイプ別ファイル再生リストに従って前記タイプ別の所望のファイルを記録媒体から読み出し、前記タイプ別の所望のファイルを連続再生させる連続再生処理手段と、
前記タイプ別／拡張子別選択画面にて拡張子別が選択された場合に、記録媒体に記録されているファイルの拡張子の項目を選択するための拡張子選択画面をディスプレイ装置に表示させる拡張子表示処理手段と、
前記拡張子選択画面にて所望の拡張子が選択された場合に、選択された拡張子のファイルのみを記録媒体からピックアップし、このピックアップした拡張子のファイルが連続再生できるように、拡張子のファイルのファイル名を連続的に並べて拡張子再生リストを作成してメモリに格納する拡張子再生リスト作成処理手段と、
前記拡張子選択画面にて所望する拡張子の項目が選択された場合には、前記拡張子再生リストに従って前記所望する拡張子のファイルを記録媒体から読み出し、前記所望する拡張子のファイルを連続再生させる拡張子連続再生処理手段と、を備えたことを特徴とする情報記録再生装置。
【請求項３】
前記タイプ別ファイル選択画面とは、動画／静止画／音楽選択画面であり、前記タイプ別ファイル選択画面表示処理手段は、タイプ別／拡張子別選択画面にてタイプ別が選択された場合に、動画または静止画または音楽を選択するための動画／静止画／音楽選択画面をディスプレイ装置に表示させる動画／静止画／音楽選択画面表示処理手段を有し、
前記タイプ別ファイル再生リスト作成処理手段は、動画／静止画／音楽選択画面にて動画が選択された場合に、記録媒体から動画ファイルのみをピックアップし、このピックアップした動画ファイルが連続再生できるように、動画ファイルのファイル名を連続的に並べて動画再生リストを作成してメモリに格納する動画再生リスト作成処理手段と、動画／静止画／音楽選択画面にて静止画が選択された場合に、記録媒体から静止画ファイルのみをピックアップし、このピックアップした静止画ファイルが連続再生できるように、静止画ファイルのファイル名を連続的に並べて静止画再生リストを作成してメモリに格納する静止画再生リスト作成処理手段と、動画／静止画／音楽選択画面にて音楽が選択された場合に、記録媒体から音楽ファイルのみをピックアップし、このピックアップした音楽ファイルが連続再生できるように、音楽ファイルのファイル名を連続的に並べて音楽再生リストを作成してメモリに格納する音楽再生リスト作成処理手段とを有し、
前記連続再生処理手段は、動画／静止画／音楽選択画面にて動画が選択された場合には、前記動画再生リストに従って動画ファイルを記録媒体から読み出し、動画ファイルを連続再生させ、静止画が選択された場合には、前記静止画再生リストに従って静止画ファイルを記録媒体から読み出し、静止画ファイルを連続再生させ、音楽が選択された場合には、前記音楽再生リストに従って音楽ファイルを記録媒体から読み出し、音楽ファイルを連続再生させることを特徴とする請求項２に記載の情報記録再生装置。
【請求項４】
前記動画再生リストをディスプレイ装置に表示させる動画再生リスト表示処理手段と、前記静止画再生リストをディスプレイ装置に表示させる静止画再生リスト表示処理手段と、音楽再生リストをディスプレイ装置に表示させる音楽再生リスト表示処理手段と、前記拡張子再生リストをディスプレイ装置に表示させる拡張子再生リスト表示処理手段とを備えたことを特徴とする請求項３に記載の情報記録再生装置。
【発明の詳細な説明】
【技術分野】
【０００１】
本発明は、記録媒体に記録された各種ファイルを再生することが可能な情報記録再生装置に関し、特に、同形式のファイルを連続再生することが可能な機能を有する情報記録再生装置に関する。
【背景技術】
【０００２】
従来から、情報記録再生装置として、ＤＶＤ（デジタル・バーサタイル・ディスク）などの光ディスクに対して情報の記録／再生を行う光ディスク装置（ＤＶＤレコーダ）や、ハードディスクに対して情報の記録／再生を行うハードディスク装置（ハードディスクレコーダ）、あるいは光ディスク装置とハードディスク装置とを搭載した複合型記録再生装置が知られている。
【０００３】
ところで、ハードディスクは勿論、近年、ＤＶＤも記録容量が増加し、このような記録媒体は、動画ファイル、静止画ファイル、音楽ファイルなどのファイルを一緒に記録できるようになってきている。例えば、１枚の書き込み可能なＤＶＤを有効に使用するため、このＤＶＤに、最初に静止画ファイルを記録し、次に音楽ファイルを記録し、更に静止画ファイル、更に動画ファイルを記録するような使い方がされる場合がある。つまり、ユーザは、情報記録再生装置を用いて１枚のＤＶＤに情報を記録させる場合、最初に記録させるファイルが、たまたま静止画ファイルであれば、最初に静止画ファイルが記録され、次に記録させるファイルが、たまたま音楽ファイルであれば、次に音楽ファイルが記録されるといった順に、各種ファイルが１枚のＤＶＤに記録される。
【特許文献１】特開２００６−１３９４６７号公報
【特許文献２】特開２００３−１５０６１１号公報
【発明の開示】
【発明が解決しようとする課題】
【０００４】
ところが、このような従来の情報記録再生装置では、記録媒体に記録されたファイルを再生する場合、再生の優先順位が書かれているパステーブル（Ｐａｔｈ  ｔａｂｌｅ）順に連続再生を行うか、ユーザのリモコン操作による手動操作で再生したいファイルを選択して再生を行うしかなかったので、動画ファイルや音楽ファイルや静止画ファイルといった様々な形式のファイルが記録されている記録媒体のファイルを再生する際に、動画ファイルのみや音楽ファイルのみや静止画ファイルのみといったグループ毎で連続再生を行うことができないという課題があった。
【０００５】
なお、特許文献１の従来技術は、個々のデータに付与する属性データの個数が増加してきた場合に、その属性データ群をグループ化する手段を備えることにより、データの検索時の容易性と高速性を高めるようにしたものであるが、動画ファイルや音楽ファイルや静止画ファイルといった様々な形式のファイルが記録されている記録媒体のファイルを再生する際に、動画ファイルのみや音楽ファイルのみや静止画ファイルのみといったグループ毎で連続再生を行うことができるようにしたものではない。
【０００６】
また、特許文献２の従来技術は、短い再生時間のテイクを一定の基準に沿ってグループ化してソートし、再生スクリプトを自動生成し、再生スクリプトに登録したテイクはファイル一覧に表示しないで、再生スクリプトをファイル一覧に登録し、これにより、テイクを記録した実ファイルを操作することなく、容易にデータを管理することを可能にしているが、この従来技術も、動画ファイルや音楽ファイルや静止画ファイルといった様々な形式のファイルが記録されている記録媒体のファイルを再生する際に、動画ファイルのみや音楽ファイルのみや静止画ファイルのみといったグループ毎で連続再生を行うことができるようにしたものではない。
【０００７】
本発明は、上記のような課題を解決するためになされたもので、動画ファイルや音楽ファイルや静止画ファイルといった様々な形式のファイルが記録されている記録媒体のファイルを再生する際に、動画ファイルのみや音楽ファイルのみや静止画ファイルのみといったグループ毎で連続再生を行うことができるようにした情報記録再生装置を提供することを目的とする。
【課題を解決するための手段】
【０００８】
上記目的を達成するために、請求項１の発明は、記録媒体に記録された各種ファイルを再生することが可能な情報記録再生装置において、設定画面でファイル形式ごとのグループ再生が選択された場合に、タイプ別または拡張子別でファイルを選択するためのタイプ別／拡張子別選択画面をディスプレイ装置に表示させるタイプ別／拡張子別選択画面表示処理手段と、タイプ別／拡張子別選択画面にてタイプ別が選択された場合に、動画または静止画または音楽を選択するための動画／静止画／音楽選択画面をディスプレイ装置に表示させる動画／静止画／音楽選択画面表示処理手段と、動画／静止画／音楽選択画面にて動画が選択された場合に、記録媒体から動画ファイルのみをピックアップし、このピックアップした動画ファイルが連続再生できるように、動画ファイルのファイル名を連続的に並べて動画再生リストを作成してメモリに格納する動画再生リスト作成処理手段と、前記動画再生リストをディスプレイ装置に表示させる動画再生リスト表示処理手段と、動画／静止画／音楽選択画面にて静止画が選択された場合に、記録媒体から静止画ファイルのみをピックアップし、このピックアップした静止画ファイルが連続再生できるように、静止画ファイルのファイル名を連続的に並べて静止画再生リストを作成してメモリに格納する静止画再生リスト作成処理手段と、前記静止画再生リストをディスプレイ装置に表示させる静止画再生リスト表示処理手段と、動画／静止画／音楽選択画面にて音楽が選択された場合に、記録媒体から音楽ファイルのみをピックアップし、このピックアップした音楽ファイルが連続再生できるように、音楽ファイルのファイル名を連続的に並べて音楽再生リストを作成してメモリに格納する音楽再生リスト作成処理手段と、前記音楽再生リストをディスプレイ装置に表示させる音楽再生リスト表示処理手段と、動画／静止画／音楽選択画面にて動画が選択された場合には、前記動画再生リストに従って動画ファイルを記録媒体から読み出し、動画ファイルを連続再生させ、静止画が選択された場合には、前記静止画再生リストに従って静止画ファイルを記録媒体から読み出し、静止画ファイルを連続再生させ、音楽が選択された場合には、前記音楽再生リストに従って音楽ファイルを記録媒体から読み出し、音楽ファイルを連続再生させる連続再生処理手段と、前記タイプ別／拡張子別選択画面にて所望の拡張子が選択された場合に、記録媒体に記録されているファイルの拡張子の項目を選択するための拡張子選択画面をディスプレイ装置に表示させる拡張子表示処理手段と、前記タイプ別／拡張子別選択画面にて拡張子別が選択された場合に、選択された拡張子のファイルのみを記録媒体からピックアップし、このピックアップした拡張子のファイルが連続再生できるように、拡張子のファイルのファイル名を連続的に並べて拡張子再生リストを作成してメモリに格納する拡張子再生リスト作成処理手段と、前記拡張子再生リストをディスプレイ装置に表示させる拡張子再生リスト表示処理手段と、前記拡張子選択画面にて所望する拡張子の項目が選択された場合には、前記拡張子再生リストに従って前記所望する拡張子のファイルを記録媒体から読み出し、前記所望する拡張子のファイルを連続再生させる拡張子連続再生処理手段と、を備えたことを特徴とする情報記録再生装を手提供する。
【０００９】
この構成において、設定画面でグループ再生が選択されると、タイプ別／拡張子別選択画面表示処理手段は、タイプ別／拡張子別選択画面をディスプレイ装置に表示させる。ここで、ユーザのリモコン操作により、タイプ別／拡張子別選択画面においてタイプ別が選択された場合に、動画／静止画／音楽選択画面表示処理手段は、ディスプレイ装置に動画／静止画／音楽選択画面を表示させる。
【００１０】
そして、ユーザのリモコン操作により、動画／静止画／音楽選択画面において、例えば、動画が選択された場合、動画再生リスト作成処理手段は、記録媒体から動画ファイルのみをピックアップし、このピックアップした動画ファイルが連続再生できるように、動画ファイルのファイル名を連続的に並べて動画再生リストを作成して、メモリに格納する。また、動画再生リスト表示処理手段は、前記動画再生リストをディスプレイ装置に表示させる。次に、連続再生処理手段は、前記動画再生リストに従って動画ファイルを記録媒体から読み出し、動画ファイルを連続再生させる。
【００１１】
この構成によれば、動画ファイルや音楽ファイルや静止画ファイルといった様々な形式のファイルが記録されている記録媒体のファイルを再生する際に、動画ファイルのみや音楽ファイルのみや静止画ファイルのみといったグループ毎で連続再生を行うことができる。また、動画再生リスト、静止画再生リスト、音楽再生リスト、および拡張再生リストを表示させることができ、これにより、ユーザは、連続再生するファイルの内容を確かめることができ、便利になる。
【００１２】
請求項２の発明は、記録媒体に記録された各種ファイルを再生することが可能な情報記録再生装置において、設定画面でファイル形式ごとのグループ再生が選択された場合に、タイプ別または拡張子別でファイルを選択するためのタイプ別／拡張子別選択画面をディスプレイ装置に表示させるタイプ別／拡張子別選択画面表示処理手段と、タイプ別／拡張子別選択画面にてタイプ別が選択された場合に、各種タイプのファイルを選択するためのタイプ別ファイル選択画面をディスプレイ装置に表示させるタイプ別ファイル選択画面表示処理手段と、前記タイプ別ファイル選択画面にて選択されたタイプのファイルのみを記録媒体からピックアップし、このピックアップしたタイプのファイルが連続再生できるように、そのタイプのファイルのファイル名を連続的に並べてタイプ別ファイル再生リストを作成してメモリに格納するタイプ別ファイル再生リスト作成処理手段と、タイプ別／拡張子別選択画面にてタイプ別の所望のファイルが選択された場合には、前記タイプ別ファイル再生リストに従って前記タイプ別の所望のファイルを記録媒体から読み出し、前記タイプ別の所望のファイルを連続再生させる連続再生処理手段と、前記タイプ別／拡張子別選択画面にて拡張子別が選択された場合に、記録媒体に記録されているファイルの拡張子の項目を選択するための拡張子選択画面をディスプレイ装置に表示させる拡張子表示処理手段と、前記拡張子選択画面にて所望の拡張子が選択された場合に、選択された拡張子のファイルのみを記録媒体からピックアップし、このピックアップした拡張子のファイルが連続再生できるように、拡張子のファイルのファイル名を連続的に並べて拡張子再生リストを作成してメモリに格納する拡張子再生リスト作成処理手段と、前記拡張子選択画面にて所望する拡張子の項目が選択された場合には、前記拡張子再生リストに従って前記所望する拡張子のファイルを記録媒体から読み出し、前記所望する拡張子のファイルを連続再生させる拡張子連続再生処理手段と、を備えたことを特徴とする情報記録再生装置を提供する。
【００１３】
この構成において、設定画面でグループ再生が選択されると、タイプ別／拡張子別選択画面表示処理手段は、タイプ別／拡張子別選択画面をディスプレイ装置に表示させる。ここで、ユーザのリモコン操作により、タイプ別／拡張子別選択画面において、例えば、タイプ別が選択された場合に、タイプ別ファイル選択画面表示処理手段は、ディスプレイ装置にタイプ別ファイル選択画面を表示させる。
【００１４】
そして、ユーザのリモコン操作により、タイプ別ファイル選択画面において、或るファイルが選択された場合に、タイプ別ファイル再生リスト作成処理手段は、記録媒体から前記或るファイルのみをピックアップし、このピックアップした或るファイルが連続再生できるように、或るファイルのファイル名を連続的に並べてタイプ別ファイル再生リストを作成して、メモリに格納する。次に、連続再生処理手段は、前記タイプ別ファイル再生リストに従って、前記或るファイルを記録媒体から読み出し、前記或るファイルを連続再生させる。
【００１５】
この構成によれば、例えば、動画ファイルや音楽ファイルや静止画ファイルといった様々な形式のファイルが記録されている記録媒体のファイルを再生する際に、動画ファイルのみや音楽ファイルのみや静止画ファイルのみといったグループ毎で連続再生を行うことができる。
【００１６】
請求項３の発明では、請求項２の発明において、前記タイプ別ファイル選択画面とは、動画／静止画／音楽選択画面であり、前記タイプ別ファイル選択画面表示処理手段は、タイプ別／拡張子別選択画面にてタイプ別が選択された場合に、動画または静止画または音楽を選択するための動画／静止画／音楽選択画面をディスプレイ装置に表示させる動画／静止画／音楽選択画面表示処理手段を有し、前記タイプ別ファイル再生リスト作成処理手段は、動画／静止画／音楽選択画面にて動画が選択された場合に、記録媒体から動画ファイルのみをピックアップし、このピックアップした動画ファイルが連続再生できるように、動画ファイルのファイル名を連続的に並べて動画再生リストを作成してメモリに格納する動画再生リスト作成処理手段と、動画／静止画／音楽選択画面にて静止画が選択された場合に、記録媒体から静止画ファイルのみをピックアップし、このピックアップした静止画ファイルが連続再生できるように、静止画ファイルのファイル名を連続的に並べて静止画再生リストを作成してメモリに格納する静止画再生リスト作成処理手段と、動画／静止画／音楽選択画面にて音楽が選択された場合に、記録媒体から音楽ファイルのみをピックアップし、このピックアップした音楽ファイルが連続再生できるように、音楽ファイルのファイル名を連続的に並べて音楽再生リストを作成してメモリに格納する音楽再生リスト作成処理手段とを有し、前記連続再生処理手段は、動画／静止画／音楽選択画面にて動画が選択された場合には、前記動画再生リストに従って動画ファイルを記録媒体から読み出し、動画ファイルを連続再生させ、静止画が選択された場合には、前記静止画再生リストに従って静止画ファイルを記録媒体から読み出し、静止画ファイルを連続再生させ、音楽が選択された場合には、前記音楽再生リストに従って音楽ファイルを記録媒体から読み出し、音楽ファイルを連続再生させることを特徴とする。
【００１７】
したがって、タイプ別ファイルとしては、動画ファイルや音楽ファイルや静止画ファイルといった様々な形式のファイルを扱うことができ、これらのファイルが記録されている記録媒体のファイルを再生する際に、動画ファイルのみや音楽ファイルのみや静止画ファイルのみといったグループ毎で連続再生を行うことが可能になる。
【００１８】
請求項４の発明では、請求項３の発明において、前記動画再生リストをディスプレイ装置に表示させる動画再生リスト表示処理手段と、前記静止画再生リストをディスプレイ装置に表示させる静止画再生リスト表示処理手段と、音楽再生リストをディスプレイ装置に表示させる音楽再生リスト表示処理手段と、前記拡張子再生リストをディスプレイ装置に表示させる拡張子再生リスト表示処理手段とを備えたことを特徴とする。
【００１９】
したがって、動画再生リスト、静止画再生リスト、音楽再生リスト、および拡張再生リストを表示させることができ、これにより、ユーザは、連続再生するファイルの内容を確かめることができ、便利になる。
【発明の効果】
【００２０】
以上のように本発明によれば、記録媒体に記録された各種ファイルを再生することが可能な情報記録再生装置において、設定画面でファイル形式ごとのグループ再生が選択された場合に、タイプ別または拡張子別でファイルを選択するためのタイプ別／拡張子別選択画面をディスプレイ装置に表示させるタイプ別／拡張子別選択画面表示処理手段と、タイプ別／拡張子別選択画面にてタイプ別が選択された場合に、動画または静止画または音楽を選択するための動画／静止画／音楽選択画面をディスプレイ装置に表示させる動画／静止画／音楽選択画面表示処理手段と、動画／静止画／音楽選択画面にて動画が選択された場合に、記録媒体から動画ファイルのみをピックアップし、このピックアップした動画ファイルが連続再生できるように、動画ファイルのファイル名を連続的に並べて動画再生リストを作成してメモリに格納する動画再生リスト作成処理手段と、前記動画再生リストをディスプレイ装置に表示させる動画再生リスト表示処理手段と、動画／静止画／音楽選択画面にて静止画が選択された場合に、記録媒体から静止画ファイルのみをピックアップし、このピックアップした静止画ファイルが連続再生できるように、静止画ファイルのファイル名を連続的に並べて静止画再生リストを作成してメモリに格納する静止画再生リスト作成処理手段と、前記静止画再生リストをディスプレイ装置に表示させる静止画再生リスト表示処理手段と、動画／静止画／音楽選択画面にて音楽が選択された場合に、記録媒体から音楽ファイルのみをピックアップし、このピックアップした音楽ファイルが連続再生できるように、音楽ファイルのファイル名を連続的に並べて音楽再生リストを作成してメモリに格納する音楽再生リスト作成処理手段と、前記音楽再生リストをディスプレイ装置に表示させる音楽再生リスト表示処理手段と、動画／静止画／音楽選択画面にて動画が選択された場合には、前記動画再生リストに従って動画ファイルを記録媒体から読み出し、動画ファイルを連続再生させ、静止画が選択された場合には、前記静止画再生リストに従って静止画ファイルを記録媒体から読み出し、静止画ファイルを連続再生させ、音楽が選択された場合には、前記音楽再生リストに従って音楽ファイルを記録媒体から読み出し、音楽ファイルを連続再生させる連続再生処理手段と、前記タイプ別／拡張子別選択画面にて拡張子別が選択された場合に、記録媒体に記録されているファイルの拡張子の項目を選択するための拡張子選択画面をディスプレイ装置に表示させる拡張子表示処理手段と、前記タイプ別／拡張子別選択画面にて拡張子別が選択された場合に、選択された拡張子のファイルのみを記録媒体からピックアップし、このピックアップした拡張子のファイルが連続再生できるように、拡張子のファイルのファイル名を連続的に並べて拡張子再生リストを作成してメモリに格納する拡張子再生リスト作成処理手段と、前記拡張子再生リストをディスプレイ装置に表示させる拡張子再生リスト表示処理手段と、前記拡張子選択画面にて所望する拡張子の項目が選択された場合には、前記拡張子再生リストに従って前記所望する拡張子のファイルを記録媒体から読み出し、前記所望する拡張子のファイルを連続再生させる拡張子連続再生処理手段とを備えたので、動画ファイルや音楽ファイルや静止画ファイルといった様々な形式のファイルが記録されている記録媒体のファイルを再生する際に、動画ファイルのみや音楽ファイルのみや静止画ファイルのみといったグループ毎で連続再生を行うことができる。また、動画再生リスト、静止画再生リスト、音楽再生リスト、および拡張再生リストを表示させることができ、これにより、ユーザは、連続再生するファイルの内容を確かめることができ、便利になる。
【００２１】
また、本発明によれば、記録媒体に記録された各種ファイルを再生することが可能な情報記録再生装置において、設定画面でファイル形式ごとのグループ再生が選択された場合に、タイプ別または拡張子別でファイルを選択するためのタイプ別／拡張子別選択画面をディスプレイ装置に表示させるタイプ別／拡張子別選択画面表示処理手段と、タイプ別／拡張子別選択画面にてタイプ別が選択された場合に、各種タイプのファイルを選択するためのタイプ別ファイル選択画面をディスプレイ装置に表示させるタイプ別ファイル選択画面表示処理手段と、前記タイプ別ファイル選択画面にて選択されたタイプのファイルのみを記録媒体からピックアップし、このピックアップしたタイプのファイルが連続再生できるように、そのタイプのファイルのファイル名を連続的に並べてタイプ別ファイル再生リストを作成してメモリに格納するタイプ別ファイル再生リスト作成処理手段と、タイプ別／拡張子別選択画面にてタイプ別の所望のファイルが選択された場合には、前記タイプ別ファイル再生リストに従って前記タイプ別の所望のファイルを記録媒体から読み出し、前記タイプ別の所望のファイルを連続再生させる連続再生処理手段と、前記タイプ別／拡張子別選択画面にて拡張子別が選択された場合に、記録媒体に記録されているファイルの拡張子の項目を選択するための拡張子選択画面をディスプレイ装置に表示させる拡張子表示処理手段と、前記拡張子選択画面にて所望の拡張子が選択された場合に、選択された拡張子のファイルのみを記録媒体からピックアップし、このピックアップした拡張子のファイルが連続再生できるように、拡張子のファイルのファイル名を連続的に並べて拡張子再生リストを作成してメモリに格納する拡張子再生リスト作成処理手段と、前記拡張子選択画面にて所望する拡張子の項目が選択された場合には、前記拡張子再生リストに従って前記所望する拡張子のファイルを記録媒体から読み出し、前記所望する拡張子のファイルを連続再生させる拡張子連続再生処理手段とを備えたので、例えば、動画ファイルや音楽ファイルや静止画ファイルといった様々な形式のファイルが記録されている記録媒体のファイルを再生する際に、動画ファイルのみや音楽ファイルのみや静止画ファイルのみといったグループ毎で連続再生を行うことができる。
【発明を実施するための最良の形態】
【００２２】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置としては、ハードディスク装置と光ディスク装置とが組み込まれた複合型記録再生装置について説明するが、本実施形態の特徴とする同形式ファイル連続再生機能は、複合型記録再生装置に限らず、単体のハードディスク装置や光ディスク装置に設ければ、同様な効果を得ることができる。なお、再生のみを行うことが可能な再生装置であっても、同様な効果が得られる。
【００２３】
図１において、複合型記録再生装置１は、ＤＶＤやＣＤなどの光ディスク１５に対して情報の記録／再生を行う光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュメモリ６とを備えている。
【００２４】
また、この複合型記録再生装置１は、デコーダ５で復号された映像信号をモニタ装置（テレビ受信機など）１３のディスプレイ装置１３１で表示可能な映像信号に変換する映像出力部７と、タイプ別／拡張子別選択画面、動画／静止画／音楽選択画面、拡張子選択画面、動画再生リスト画面、拡張子再生リスト画面などをモニタ装置１３のディスプレイ装置１３１に表示させるためのＯＳＤ回路１２と、デコーダ５で復号された音声信号をモニタ装置１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２５】
システムコントローラ１０は、本実施形態の特徴として、設定画面でファイル形式ごとのグループ再生が選択された場合に、タイプ別または拡張子別でファイルを選択するためのタイプ別／拡張子別選択画面をディスプレイ装置１３１に表示させるタイプ別／拡張子別選択画面表示処理手段と、タイプ別／拡張子別選択画面にてタイプ別が選択された場合に、動画または静止画または音楽を選択するための動画／静止画／音楽選択画面をディスプレイ装置１３１に表示させる動画／静止画／音楽選択画面表示処理手段と、動画／静止画／音楽選択画面にて動画が選択された場合に、記録媒体から動画ファイルのみをピックアップし、このピックアップした動画ファイルが連続再生できるように、動画ファイルのファイル名を連続的に並べて動画再生リストを作成してフラッシュメモリ６に格納する動画再生リスト作成処理手段と、前記動画再生リストをディスプレイ装置１３１に表示させる動画再生リスト表示処理手段とを有する。
【００２６】
また、システムコントローラ１０は、動画／静止画／音楽選択画面にて静止画が選択された場合に、記録媒体から静止画ファイルのみをピックアップし、このピックアップした静止画ファイルが連続再生できるように、静止画ファイルのファイル名を連続的に並べて静止画再生リストを作成してフラッシュメモリ６に格納する静止画再生リスト作成処理手段と、前記静止画再生リストをディスプレイ装置１３１に表示させる静止画再生リスト表示処理手段と、動画／静止画／音楽選択画面にて音楽が選択された場合に、記録媒体から音楽ファイルのみをピックアップし、このピックアップした音楽ファイルが連続再生できるように、音楽ファイルのファイル名を連続的に並べて音楽再生リストを作成してフラッシュメモリ６に格納する音楽再生リスト作成処理手段と、前記音楽再生リストをディスプレイ装置１３１に表示させる音楽再生リスト表示処理手段とを有する。
【００２７】
また、システムコントローラ１０は、動画／静止画／音楽選択画面にて動画が選択された場合には、前記動画再生リストに従って動画ファイルを記録媒体から読み出し、動画ファイルを連続再生させ、静止画が選択された場合には、前記静止画再生リストに従って静止画ファイルを記録媒体から読み出し、静止画ファイルを連続再生させ、音楽が選択された場合には、前記音楽再生リストに従って音楽ファイルを記録媒体から読み出し、音楽ファイルを連続再生させる連続再生処理手段とを有する。
【００２８】
更に、システムコントローラ１０は、前記タイプ別／拡張子別選択画面にて拡張子別が選択された場合に、記録媒体に記録されているファイルの拡張子の項目を選択するための拡張子選択画面をディスプレイ装置１３１に表示させる拡張子表示処理手段と、前記タイプ別／拡張子別選択画面にて拡張子別が選択された場合に、選択された拡張子のファイルのみを記録媒体からピックアップし、このピックアップした拡張子のファイルが連続再生できるように、拡張子のファイルのファイル名を連続的に並べて拡張子再生リストを作成してフラッシュメモリ６に格納する拡張子再生リスト作成処理手段と、前記拡張子再生リストをディスプレイ装置１３１に表示させる拡張子再生リスト表示処理手段と、前記拡張子選択画面にて所望する拡張子の項目が選択された場合には、前記拡張子再生リストに従って前記所望する拡張子のファイルを記録媒体から読み出し、前記所望する拡張子のファイルを連続再生させる拡張子連続再生処理手段とを有する。
【００２９】
図２は本実施形態において同形式のファイルのみ連続で再生する処理が行われるまでにディスプレイ装置に表示されるグループ再生に関する選択画面などの一例を示す図である。
【００３０】
図２（１）はディスプレイ装置に表示されるグループ再生の選択画面であるタイプ別／拡張子別選択画面を示し、このタイプ別／拡張子別選択画面には、記録媒体に記録されたファイルをタイプ別で選択するための項目「タイプ別」と、記録媒体に記録されたファイルを拡張子別で選択するための項目「拡張子別」とが表示されている。
【００３１】
図２（２）は図２（１）に示すタイプ別／拡張子別選択画面において項目「タイプ別」がリモコン操作により選択され決定操作された場合にディスプレイ装置に表示される動画／静止画／音楽選択画面を示し、この動画／静止画／音楽選択画面には、記録媒体に記録されたファイルの中で動画ファイルを選択するための項目「動画」と、記録媒体に記録されたファイルの中で静止画ファイルを選択するための項目「静止画」と、記録媒体に記録されたファイルの中で音楽ファイルを選択するための項目「音楽」とが表示されている。
【００３２】
図２（３）は図２（１）に示すタイプ別／拡張子別選択画面において項目「拡張子別」がリモコン操作により選択され決定操作された場合にディスプレイ装置に表示される拡張子選択画面を示し、この拡張子選択画面には、記録媒体に記録されたファイルの中でＪＰＥＧファイルを選択するための項目「ＪＰＥＧ」と、記録媒体に記録されたファイルの中でＭＰ３ファイルを選択するための項目「ＭＰ３」と、記録媒体に記録されたファイルの中でＷＭＡファイルを選択するための項目「ＷＭＡ」とが表示されている。
【００３３】
図２（４）は図２（２）に示す動画／静止画／音楽選択画面において項目「動画」がリモコン操作により選択され決定操作された場合にディスプレイ装置に表示される動画再生リスト画面を示し、この動画再生リスト画面には、記録媒体に記録されたファイルの中でＷＭＶファイルを選択するための項目「ＷＭＶ  Ｆｉｌｅ」と、記録媒体に記録されたファイルの中でＤｉｖｘファイルを選択するための項目「Ｄｉｖｘ  Ｆｉｌｅ」と、記録媒体に記録されたファイルの中でＡＶＩファイルを選択するための項目「ＡＶＩ  Ｆｉｌｅ」とが表示されている。
【００３４】
図２（５）は図２（３）に示す拡張子選択画面において項目「ＪＰＥＧ」がリモコン操作により選択され決定操作された場合にディスプレイ装置に表示される拡張子再生リスト画面のうちＪＰＥＧ再生リスト画面を示し、このＪＰＥＧ再生リスト画面には、記録媒体に記録されたファイルの中で、ＪＰＥＧファイル１を選択するための項目「ＪＰＥＧ  Ｆｉｌｅ１」と、ＪＰＥＧファイル２を選択するための項目「ＪＰＥＧ  Ｆｉｌｅ２」と、ＪＰＥＧファイル３を選択するための項目「ＪＰＥＧ  Ｆｉｌｅ３」と、ＪＰＥＧファイル４を選択するための項目「ＪＰＥＧ  Ｆｉｌｅ４」と、ＪＰＥＧファイル５を選択するための項目「ＪＰＥＧ  Ｆｉｌｅ５」と、ＪＰＥＧファイル６を選択するための項目「ＪＰＥＧ  Ｆｉｌｅ６」とが表示されている。
【００３５】
図３は本実施形態において同形式のファイルのみ連続で再生する場合の処理を説明するためのフローチャートである。このフローチャートおよび図１、図２を参照して同形式のファイルのみ連続で再生する場合の処理について説明する。こここの説明では、再生対象となるファイルが記録されている記録媒体は、光ディスク１５であるとして説明するが、記録媒体がＨＤ（ハードディスク）１４であっても良い。なお、ここでは、タイプ別のファイルとしては、動画ファイル、静止画ファイル、音楽ファイルを示すが、これらのファイルに限ることはない。また、拡張子別としてのファイルは、ＪＰＥＧファイル、ＭＰ３ファイル、ＷＭＡファイルを示すが、これらのファイルに限ることはない。
【００３６】
先ず、ユーザは、リモコン１１を操作して、モニタ装置１３のディスプレイ装置１３１に設定画面を表示させ、この設定画面でグループ再生を選択して、決定操作をすると、システムコントローラ１０は、グループ再生が選択されたことを検知し（ステップＳ１）、システムコントローラ１０のタイプ別／拡張子別選択画面表示処理手段は、フラッシュメモリ６に予め記憶されているタイプ別／拡張子別選択画面のデータを読み出し、ＯＳＤ回路１２でＯＳＤ処理し、更に映像出力部７で表示可能な映像信号に変換し、この映像信号をモニタ装置１３のディスプレイ装置１３１に供給することにより、ディスプレイ装置１３１にタイプ別／拡張子別選択画面（図２（１）参照）を表示させる（ステップＳ２）。
【００３７】
ここで、ユーザのリモコン操作により、タイプ別／拡張子別選択画面においてタイプ別が選択された場合に（ステップＳ３）、システムコントローラ１０の動画／静止画／音楽選択画面表示処理手段は、フラッシュメモリ６に予め記憶されている動画／静止画／音楽選択画面のデータを読み出し、ＯＳＤ回路１２でＯＳＤ処理し、更に映像出力部７で表示可能な映像信号に変換し、この映像信号をモニタ装置１３のディスプレイ装置１３１に供給することにより、ディスプレイ装置１３１に動画／静止画／音楽選択画面（図２（２）参照）を表示させる（ステップＳ４）。
【００３８】
そして、ユーザのリモコン操作により、動画／静止画／音楽選択画面において動画が選択された場合に（ステップＳ５）、システムコントローラ１０の動画再生リスト作成処理手段は、光ディスク装置２を駆動させ、記録媒体（光ディスク１５）のディスク管理情報を調べ、記録媒体（光ディスク１５）から動画ファイルのみをピックアップし（ステップＳ６）、このピックアップした動画ファイルが連続再生できるように、動画ファイルのファイル名を連続的に並べて動画再生リストを作成して（ステップＳ７）、フラッシュメモリ６に格納する（ステップＳ８）。また、システムコントローラ１０の動画再生リスト表示処理手段は、前記動画再生リストを動画再生リスト画面（図２（４）参照）としてディスプレイ装置１３１に表示させる（ステップＳ８）。
【００３９】
次に、システムコントローラ１０の連続再生処理手段は、光ディスク装置２を駆動させ、前記動画再生リストに従って動画ファイルを記録媒体（光ディスク１５）から読み出し、動画ファイルを連続再生させる（ステップＳ９）。例えば、動画再生リスト画面（図２（４））において、ＷＭＶ  Ｆｉｌｅが選択されている場合は、ＷＭＶ  Ｆｉｌｅ、Ｄｉｖｘ  Ｆｉｌｅ、ＡＶＩ  Ｆｉｌｅの順に連続再生される。そして、この連続再生が終了すると、動画再生に関する処理は終了する（ステップＳ１０）。
【００４０】
今度は、ユーザのリモコン操作により、動画／静止画／音楽選択画面において静止画が選択された場合には（ステップＳ１１）、システムコントローラ１０の静止画再生リスト作成処理手段は、光ディスク装置２を駆動させ、記録媒体（光ディスク１５）のディスク管理情報を調べ、記録媒体（光ディスク１５）から静止画ファイルのみをピックアップし（ステップＳ１２）、このピックアップした静止画ファイルが連続再生できるように、静止画ファイルのファイル名を連続的に並べて静止画再生リストを作成して（ステップＳ１３）、フラッシュメモリ６に格納する（ステップＳ１４）。また、システムコントローラ１０の静止画再生リスト表示処理手段は、前記静止画再生リストを静止画再生リスト画面としてディスプレイ装置１３１に表示させる（ステップＳ１４）。
【００４１】
次に、システムコントローラ１０の連続再生処理手段は、光ディスク装置２を駆動させ、前記静止画再生リストに従って静止画ファイルを記録媒体（光ディスク１５）から読み出し、静止画ファイルを連続再生させる（ステップＳ９）。そして、この連続再生が終了すると、静止画再生に関する処理は終了する（ステップＳ１０）。
【００４２】
次に、ユーザのリモコン操作により、動画／静止画／音楽選択画面において音楽が選択された場合には（ステップＳ１５）、システムコントローラ１０の音楽再生リスト作成処理手段は、光ディスク装置２を駆動させ、記録媒体（光ディスク１５）のディスク管理情報を調べ、記録媒体（光ディスク１５）から音楽ファイルのみをピックアップし（ステップＳ１６）、このピックアップした音楽ファイルが連続再生できるように、音楽ファイルのファイル名を連続的に並べて音楽再生リストを作成して（ステップＳ１７）、フラッシュメモリ６に格納する（ステップＳ１８）。また、システムコントローラ１０の音楽再生リスト表示処理手段は、前記音楽再生リストを音楽再生リスト画面としてディスプレイ装置１３１に表示させる（ステップＳ１８）。
【００４３】
次に、システムコントローラ１０の連続再生処理手段は、光ディスク装置２を駆動させ、前記音楽再生リストに従って音楽ファイルを記録媒体（光ディスク１５）から読み出し、音楽ファイルを連続再生させる（ステップＳ９）。そして、この連続再生が終了すると、音楽再生に関する処理は終了する（ステップＳ１０）。
【００４４】
次に、前記タイプ別／拡張子別選択画面において、拡張子別が選択された場合には（ステップＳ１９）、システムコントローラ１０の拡張子表示処理手段は、フラッシュメモリ６に予め記憶されている拡張子選択画面のデータを読み出し、ＯＳＤ回路１２でＯＳＤ処理し、更に映像出力部７で表示可能な映像信号に変換し、この映像信号をモニタ装置１３のディスプレイ装置１３１に供給することにより、ディスプレイ装置１３１に拡張子選択画面（図２（３）参照）を表示させる（ステップＳ２０）。
【００４５】
そして、前記拡張子別選択画面において所望する拡張子の項目（例えばＪＰＥＧの項目）が選択された場合には（ステップＳ２１）、システムコントローラ１０の拡張子再生リスト作成処理手段は、光ディスク装置２を駆動させ、記録媒体（光ディスク１５）から前記選択された拡張子のファイルのみをピックアップし（ステップＳ２２）、このピックアップした拡張子のファイル（例えばＪＰＥＧファイル）が連続再生できるように、拡張子のファイルのファイル名（例えばＪＰＥＧファイル名）を連続的に並べて拡張子再生リスト（例えばＪＰＥＧ再生リスト）を作成し（ステップＳ２３）、フラッシュメモリ６に格納する（ステップＳ２４）。また、システムコントローラ１０の拡張子再生リスト表示処理手段は、前記拡張子再生リスト（例えばＪＰＥＧ再生リスト）を拡張子再生リスト画面（例えばＪＰＥＧ再生リスト画面（図２（５）参照））としてディスプレイ装置１３１に表示させる（ステップＳ２４）。
【００４６】
次に、システムコントローラ１０の拡張子連続再生処理手段は、光ディスク装置２を駆動させ、前記拡張子再生リスト（例えばＪＰＥＧ再生リスト）に従って前記所望する拡張子のファイル（例えばＪＰＥＧファイル）を記録媒体（光ディスク１５）から読み出し、前記所望する拡張子のファイル（例えばＪＰＥＧ再生リスト）を連続再生させる（ステップＳ９）。そして、この連続再生が終了すると、拡張子のファイル（例えばＪＰＥＧファイル）の再生に関する処理は終了する（ステップＳ１０）。
【００４７】
以上説明したように本実施形態によれば、動画ファイルや音楽ファイルや静止画ファイルといった様々な形式のファイルが記録されている記録媒体のファイルを再生する際に、動画ファイルのみや音楽ファイルのみや静止画ファイルのみといったグループ毎で連続再生を行うことができる。また、動画再生リスト、静止画再生リスト、音楽再生リスト、および拡張再生リストを表示させることができ、これにより、ユーザは、連続再生するファイルの内容を確かめることができ、便利になる。
【産業上の利用可能性】
【００４８】
本発明は、動画ファイルや音楽ファイルや静止画ファイルといった様々な形式のファイルが記録されている光ディスクやハードディスクを再生するＤＶＤレコーダ、ＤＶＤプレイヤ、ハードディスクレコーダなどに利用可能であり、動画ファイルのみや音楽ファイルのみや静止画ファイルのみといったグループ毎で連続再生することを可能にする。
【図面の簡単な説明】
【００４９】
【図１】本発明の一実施形態に係る情報記録再生装置としての複合型記録再生装置の構成を示すブロック図である。
【図２】前記実施形態において同形式のファイルのみ連続で再生する処理が行われるまでにディスプレイ装置に表示されるグループ再生に関する選択画面などの一例を示す図である。
【図３】前記実施形態において同形式のファイルのみ連続で再生する場合の処理を説明するためのフローチャートである。
【符号の説明】
【００５０】
６    フラッシュメモリ（メモリ）
１０    システムコントローラ（タイプ別／拡張子別選択画面表示処理手段、動画／静止画／音楽選択画面表示処理手段、動画再生リスト作成処理手段、動画再生リスト表示処理手段、静止画再生リスト作成処理手段、静止画再生リスト表示処理手段、音楽再生リスト作成処理手段、音楽再生リスト表示処理手段、連続再生処理手段、拡張子表示処理手段、拡張子再生リスト作成手段、拡張子連続再生処理手段）
１４    ハードディスク（記録媒体）
１５    光ディスク（記録媒体）
【図１】
2008108362.tif 000003
【図２】
2008108362.tif 000004
【図３】
2008108362.tif 000005